(57)【特許請求の範囲】
【請求項１】
シートバックフレームと、該シートバックフレームを覆うシートバックパッドと、該シートバックパッドを覆うトリムカバーを有したシートバックの背面の凹面形状成形方法であって、
前記シートバックパッドは背面には凹面再現時に最も深くなる部分にシートバックパッド溝を有しており、
前記トリムカバーの裏面の前記シートバックパッド溝に対応する部分に接着用シートをアウターステッチにより縫い付け、
該トリムカバーを前記シートバックパッドに被せた後、
前記アウターステッチに前記トリムカバーの表面から押し型を押し当て、該押し型の先端の加熱または先端から蒸気を噴射させ、前記接着用シートを溶かし、前記シートバックパッド溝に前記トリムカバーを線接着して凹面形状を形成することを特徴とするシートバックの背面の凹面形状成形方法。
【請求項２】
シートバックフレームと、該シートバックフレームを覆うシートバックパッドと、該シートバックパッドを覆うトリムカバーを有し、
前記シートバックパッドは背面が凹面形状であり該凹面形状の最も深くなる部分にシートバックパッド溝を有しており、
前記トリムカバーはアウターステッチを有し、該アウターステッチ部分が前記シートバックパッド溝に線接着され、
シートバックの背面に凹面形状を有していることを特徴とする車両用シート。
【発明の詳細な説明】
【技術分野】
【０００１】
本発明は、車両用シートに係り、特に車両用シートの成形方法に関する。
【背景技術】
【０００２】
車両用シートにおいて、例えば、後席乗員の二―スペースを確保するために、前席シートバックの背面に凹面形状を形成したものが提案されている。このような凹部が形成された車両用シートにおいては、これに被覆されているシートカバーが凹部に弛みなく沿うようにするための成形方法として、例えば、特開平１１−３４２２７９号公報（特許文献１）がある。特許文献１には、凹みを背裏に形成したシートバック用のクッション体に袋状のシートカバーを被覆してその背裏の凹み被覆部を裏側に縫着された吊り袋に挿通した引込用のワイヤにより凹み内に引き込んだ車両用シートが開示されている。
【先行技術文献】
【特許文献】
【０００３】
【特許文献１】特開平１１−３４２２７９号公報
【発明の概要】
【発明が解決しようとする課題】
【０００４】
しかし特許文献１は、吊りに関わる工程が必要であり手間が掛かり、さらに、吊りに関わる部材が必要でありコストが掛かるという問題がある。
【０００５】
本発明はこれらの課題に鑑みなされたものであって、吊り工程が不要になり、コスト低減に優れた車両用シート及びそれに用いる車両用シートの成形方法を提供することを目的とする。
【課題を解決するための手段】
【０００６】
上記課題を解決するために、例えば特許請求の範囲に記載の構成を採用する。本発明は上記課題を解決する手段を複数含んでいるが、その一例を挙げるならば、シートフレームと、シートフレームを覆うシートパッドと、シートパッドを覆うトリムカバーを有した車両用シートの凹面形状成形方法であって、シートパッドはシートパッド溝を有しており、トリムカバーの裏面に接着用シートをアウターステッチにより縫い付け、トリムカバーをシートパッドに被せた後、アウターステッチにトリムカバーの表面から押し型を押し当ててシートパッド溝にトリムカバーを接着して凹面形状を形成する。
【発明の効果】
【０００７】
本発明によれば、成形工程を簡略化でき、コスト低減に有効な車両用シート及びそれに用いる車両用シートの成形方法を提供することができる。
【図面の簡単な説明】
【０００８】
【図１】実施例１における車両用シートのシートバックの外観図である。
【図２】実施例１における車両用シートの成形方法を説明する図である。
【図３】実施例２における車両用シートの外観図である。
【図４】従来における車両用シートのシートバックの外観図である。
【図５】従来における車両用シートの成形方法を説明する図である。
【発明を実施するための形態】
【０００９】
まず、本発明の前提となる、従来の車両用シートの成形方法例について図面を用いて説明する。
【００１０】
図４は、従来における車両用シートのシートバックの外観図であり、斜視図を示している。図４において、シートバック１０１は、シート状のカバーが縫製されたトリムカバー１０４で覆われている。またシートバックの背面を凹面形状するために、トリムカバーを縫い合わせたハギライン１０８と、ファスナー１０９を有している。
【００１１】
図５は、従来における車両用シートの成形方法を説明する図である。図５の左側図は、図４のＡ―Ａ面での断面図を示している。図５左図において、１０２はシートバックフレーム、１０３はシートバックパッド、１１１はトリムエンドファスナー、１０７はホックリングである。図５の右側図は、ホックリング１０７の周辺部の拡大図を示している。図５右図において、１０５は吊り金巾、１０６は吊芯線、１１０は吊ワイヤーである。
【００１２】
従来のシートバックの背面を凹面形状とするための成形方法としては、図５右図において、まず、吊り芯線１０６を保持した例えば袋状の吊り金巾１０５をシートバック背面の凹面形状部分に対応したトリムカバー１０４の背面に縫製しハギライン１０８を形成する。その後、トリムカバー１０４をシートバックパッド１０３に被覆し、トリムエンドファスナー１１１、ファスナー１０９を解放して、トリムカバー１０４の背面をまくり上げて、シートバックフレーム１０２に取付けられた吊りワイヤー１１０と吊り芯線１０６とをホックリング１０７で保持して吊り芯線１０６を吊り込む。これにより、吊り金巾１０５が縫製されたトリムカバー１０４のハギライン１０８がシートバックフレーム１０２側に引き込まれてトリムカバー１０４に凹面形状を形成する。その後、ファスナー１０９を閉じて成形を完了する。
【００１３】
このように、従来は、トリムカバーをシートバックパッドに被覆した後に、ファスナーを解放してトリムカバーの背面をまくり上げて吊り作業をするという、吊りに関わる工程が必要であり手間が掛かっていた。さらに、吊り金巾、吊芯線、吊ワイヤー、ホックリング等の吊りに関わる部材が必要でありコストが掛かるという問題があった。
【００１４】
よって、これらの課題を解決するための実施例について、下記、図面を用いて説明する。
【実施例１】
【００１５】
図１は、本実施例における車両用シートのシートバックの外観図であり、斜視図を示している。図１において、シートバック１は、シート状のカバーが縫製されたトリムカバー２で覆われている。またシートバックの背面を凹面形状するために、アウターステッチ３を有している。
【００１６】
図２は、本実施例における車両用シートの成形方法を説明する図である。図２の右側図は、図１のＢ―Ｂ面での断面図を示している。図２右図において、４はシートバックフレーム、５はシートバックパッド、６はシートバックパッド溝、７は接着用シート、８はトリムエンドファスナーである。図２の左側図は、シートバックパッド溝６の周辺部の拡大図を示している。
【００１７】
本実施例のシートバックの背面を凹面形状とするための成形方法として、図２を用いて説明する。
【００１８】
図２において、トリムカバー２の背面に、凹面再現時に最も深くなる部分に、接着用シート７をアウターステッチ３により縫い付ける。シートバックパッド５には凹面再現時に最も深くなる部分にシートバックパッド溝６を設けておく。
【００１９】
そして、シートバックパッド５にトリムカバー２を被せ、シートバックフレーム４にアセンブリーし、トリムエンドファスナー８を閉じて、シートバックパッド５にトリムカバー２が被覆された状態を作る。
【００２０】
その後、押し型９をアウターステッチ３に合わせ、シートバックパッド溝６に位置を合わせて押し込む。この際、アウターステッチ３は、押し型９を押し込む位置の目安となる。その結果、トリムカバー２の背面はシートバックパッド溝６に向かってテント状に引張られて凹面形状を形成する。その状態のまま押し型９の先端を加熱または先端から蒸気を噴射させ、接着用シート７を溶かし、シートバックパッド溝６にトリムカバー２を接着し凹面形状を維持するようにして凹面形状を形成する。これにより、トリムカバー２は、シートバックパッド溝６と線接着しているだけで、他のシートバックパッド部分とは接着していないので、凹面形状を容易に形成維持できる。なお、図２では、シートバックパッド５とトリムカバー２との間に空洞を有しているが、最終的な凹面形状に対してシートバックパッドが邪魔をしない範囲であれば、空洞は無くてもよい。
【００２１】
また、接着用シートは溶かさなくても接着効果があるものであれば、加熱または蒸気で溶かすことなく、押し型でアウターステッチに合わせシートバックパッド溝に押し込むだけでも良い。
【００２２】
また、上記説明した、接着用シートをアウターステッチにより縫い付ける代わりに、凹面形状とするための接着用シート配置場所に、トリムカバーをはぎ合わせるハギ部を設け、このハギ部の縫い代に接着用シートを縫い付けるようにしても良い。また、その際には、角部にそのハギ部を配置するようにすれば、角部が押し型を押し込む位置の目安とできる。
【００２３】
なお、上記説明では、車両用シートのシートバックについて説明したが、シートバック以外の車両用シートであっても、凹面形状を成形する際に適用できるのは明らかである。すなわち、上記説明において、シートバック、シートバックフレーム、シートバックパッド、シートバックパッド溝を、シート、シートフレーム、シートパッド、シートパッド溝に置き換えることで、車両用シート全般の凹面形状成形方法として適用できる。
【００２４】
以上のように、本実施例は、シートフレームと、シートフレームを覆うシートパッドと、シートパッドを覆うトリムカバーを有した車両用シートの凹面形状成形方法であって、シートパッドはシートパッド溝を有しており、トリムカバーの裏面に接着用シートをアウターステッチにより縫い付け、トリムカバーをシートパッドに被せた後、アウターステッチにトリムカバーの表面から押し型を押し当ててシートパッド溝にトリムカバーを接着して凹面形状を形成するようにした。
【００２５】
また、トリムカバーのハギ部の縫い代に接着用シートを縫い付け、トリムカバーをシートパッドに被せた後、ハギ部にトリムカバーの表面から押し型を押し当ててシートパッド溝にトリムカバーを接着して凹面形状を形成するようにした。
【００２６】
また、車両用シートであって、シートフレームと、シートフレームを覆うシートパッドと、シートパッドを覆うトリムカバーを有し、シートパッドはシートパッド溝を有しており、トリムカバーはアウターステッチまたはハギ部の縫い代を有し、アウターステッチ部分またはハギ部の縫い代部分がシートパッド溝に接着され凹面形状を有した構成とする。
【００２７】
よって、本実施例によれば、吊り工程が不要になり、シートパッドにトリムカバーを被せた後に接着を行う為、トリムカバーをまくり上げる必要が無くなるので、従来必要であったファスナーが必要無くなる。また、吊りに関わる部材が不要となり、コスト低減に有効な車両用シート及びそれに用いる車両用シートの成形方法を提供することができる。
【実施例２】
【００２８】
実施例１では、後席乗員の二―スペースを確保するために、車両用シートの前席シートバックの背面に凹面形状を有する場合を想定し、シートバックの凹面形状を形成する場合について説明した。
【００２９】
本実施例では、シートバック以外の凹面形状を形成する場合について説明する。
【００３０】
図３は、本実施例における車両用シートの外観図である。図３は車両用シートの後席２０を示しており、実施例１で説明した凹面成形方法を適用できる箇所を示している。すなわち、図３において、アームレスト格納部２１は、囲われた箱状の凹面部であり、その凹面成形に実施例１の方法を適用できる。すなわち、凹面成形時には、トリムカバーの縫い合わせ部である角部の裏面に線状に接着用シートを共縫いしアウターステッチを設け、そのトリムカバーをシートパッドに被せたあと、押し型をアウターステッチに押し当ててトリムカバーをシートパッド溝に接着し凹面部を成形することが出来る。この際、アウターステッチは、箱状の凹面部の太線で示した８辺（隠れているところも含めて）からなり、８つの線接着で構成される。なお、８辺にこだわらず、底辺の４辺だけで線接着してもよい。
【００３１】
また、シートベルトバックル格納部２２は、その凹面部成形時には、アームレスト格納部と同様に、トリムカバーの縫い合わせ部である角部の裏面に線状に接着用シートを共縫いしアウターステッチを設け、そのトリムカバーをシートパッドに被せたあと、押し型をアウターステッチに押し当ててトリムカバーをシートパッド溝に接着し凹面部を成形することが出来る。
【００３２】
また、シートサイド面の足通過スペース２３は、着座面の広さと乗降時の足通過スペースの両立を可能とするための凹面部であり、この凹面成形も、アームレスト格納部と同様に、凹面部の角部にアウターステッチを設け、接着用シートを共縫いしたトリムカバーをシートパッドに被せた後、押し型をアウターステッチに押し当ててトリムカバーをシートパッドに接着し凹面部を成形することが出来る。
【００３３】
なお、本実施例でも、接着用シートをアウターステッチにより縫い付ける代わりに、凹面形状とするための接着用シート配置場所に、トリムカバーをはぎ合わせるハギ部を設け、このハギ部の縫い代に接着用シートを縫い付けるようにしても良い。
【００３４】
このように、本実施例は、シートバック以外の凹面形状の形成においても、トリムカバーをシートパッドに被せた後から必要な部分だけを接着し凹面部を成形することが出来るので、成形工程が簡略化でき、かつ、部品点数が少なくコスト低減に有効な車両用シート及びそれに用いる車両用シートの成形方法を提供することができる。
【００３５】
なお、本実施例は、後席について説明したが、他の座席でも同様の効果が得られる。
【００３６】
以上実施例について説明したが、本発明は上記した実施例に限定されるものではなく、様々な変形例が含まれる。また、上記した実施例は本発明を分かりやすく説明するために詳細に説明したものであり、必ずしも説明した全ての構成を備えるものに限定されるものではない。また、実施例の構成の一部を他の構成に置き換えることも可能である。
【符号の説明】
【００３７】
１、１０１…シートバック、２、１０４…トリムカバー、３…アウターステッチ、
４、１０２…シートバックフレーム、５、１０３…シートバックパッド、
６…シートバックパッド溝、７…接着用シート、８、１１１…トリムエンドファスナー、
９…押し型、２０…車両用シートの後席、２１…アームレスト格納部、
２２…シートベルトバックル格納部、２３…シートサイド面の足通過スペース、
１０５…吊り金巾、１０６…吊芯線、１０７…ホックリング、１０８…ハギライン、
１０９…ファスナー、１１０…吊ワイヤー、
【図１】
0006502664.tif 000002
【図２】
0006502664.tif 000003
【図３】
0006502664.tif 000004
【図４】
0006502664.tif 000005
【図５】
0006502664.tif 000006